(57)【特許請求の範囲】
【請求項１】
複数段の床台（１）と、前記各床台を水平状態で移動可能に支持する脚部（２）と、を具え、
前記複数段の床台（１）が、互いに階段状にずれる進出位置と、互いに上下方向に整列する後退位置との間で水平状態のまま移動し得るとともに、その進出位置での前記複数段の床台の床材が階段状の通路を形成する、伸縮式の移動観覧席において、
前記床台（１）の側端部に固定される受け部材（２１，２５）と、
前記受け部材に着脱可能に装着される支柱下端部（２３，２４）を有する手摺（２２）と、
を具え、
前記受け部材（２１）は、上端から長手方向へ延在する切り欠き（２１ａ）を形成され、
前記支柱下端部（２３）は、前記受け部材を間に挟む外側部材（２３ａ）および内側部材（２３ｂ）と、前記外側部材および前記内側部材を貫通する雄ねじ部材（２３ｃ）と、前記雄ねじ部材に螺合する雌ねじ部材（２３ｄ）とを有し、前記外側部材と前記内側部材とのうち一方（２３ａ）は前記支柱下端部に固定されるとともに前記受け部材に嵌合することを特徴とする、移動観覧席。
【請求項２】
前記支柱下端部（２３）は、前記雄ねじ部材（２３ｃ）と前記雌ねじ部材（２３ｄ）とを相対回転させるハンドル（２３ｅ）を有することを特徴とする、請求項１記載の移動観覧席。
【請求項３】
前記ハンドル（２３ｅ）は、前記雄ねじ部材（２３ｃ）をその軸線周りに回転させるとともに、その雄ねじ部材の軸線と直交する軸線周りの揺動によりカムの作用でその雄ねじ部材を引いて前記雌ねじ部材（２３ｄ）を引き寄せることを特徴とする、請求項２記載の移動観覧席。
【請求項４】
前記受け部材（２１）は、上方へ向けて外向きに傾斜していることを特徴とする、請求項１から３までの何れか１項記載の移動観覧席。
【請求項５】
前記床台の側端部に固定される第２の受け部材（２５）と、前記第２の受け部材に着脱可能に装着される第２の支柱下端部（２４）を有する手摺と、
をさらに具え、
前記第２の受け部材（２５）は、上端から下方へ向かって斜め外向きに延在した後に斜め内向きに延在する切り欠き（２５ａ）と、下方へ行くにつれて開口幅が内向きに狭まり、下端部で前記切欠きと平行に斜め内向きに延在する筒状部分とを有し、
前記第２の支柱下端部（２４）は、前記受け部材の前記筒状部分に上方から挿入されてその斜め内向きに延在する部分と密に嵌合する先端部（２４ａ）と、前記切り欠きに沿って移動可能に前記受け部材に掛合する位置決め部材（２４ｂ）とを有することを特徴とする、請求項４記載の移動観覧席。
【発明の詳細な説明】
【技術分野】
【０００１】
この発明は、それぞれ連結椅子が装着された複数段の床台が、互いに階段状にずれる進出位置と、互いに上下方向に整列する後退位置との間で水平状態のまま移動する、伸縮式の移動観覧席に関し、特には、その移動観覧席の床台側端部に手摺を着脱可能に装着する装着構造に関するものである。
【背景技術】
【０００２】
上述の如き移動観覧席としては従来、例えば本願出願人が先に特許文献１にて開示したものが知られており、この移動観覧席は、図１２にその中間の二段について示すように、複数段の床台１と、各床台１を水平状態で移動可能に支持する脚部２と、互いに連結材で連結された複数の座起立型椅子を有して各床台１上に起倒可能に装着された連結椅子３とを具えており、各床台１は、連結椅子３の左右方向に水平に延在する貫材４と、その貫材４の長手方向に間隔が空いた複数の部位に後端部をそれぞれ結合されてその貫材４から連結椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、高い方の段では支柱７の後面側にその支柱７の補強のための傾斜ブレース１０を有している。
【０００３】
そしてこの移動観覧席においては、上記複数本の支柱７の長さが床台１毎に床台１間の段差分ずつ異なるとともに、複数本の支柱７の上端部が結合される貫材４の部位の間隔が床台１毎に少しずつ異なることで、複数段の床台１が、互いに階段状にずれる進出位置と、互いに上下方向に整列する後退位置との間で水平状態のまま移動することができ、その後退位置に移動させる際は、連結椅子３を前方に倒して床材６間に収納する。
【０００４】
このような移動観覧席において、床台１の側端部に手摺を着脱可能に装着する際には、従来は例えば特許文献２にて開示されているように、手摺の前後２本の支柱の下端部を、テーパ状の段部を持つ軸状に形成し、それらの下端部を、床台の側端部に固定した筒状の２本の受け部材にそれぞれ差し込んで、前側の支柱用の受け部材の側面に設けたトグル式のバックルを支柱下端部のフックに掛合させることで手摺を抜け止めし、またバックルの掛合を解除して支柱下端部を受け部材から引き出すことで手摺を取り外している。
【先行技術文献】
【特許文献】
【０００５】
【特許文献１】特許第３９０３３５４号
【特許文献２】特開平１０−２５２２９７号公報
【発明の概要】
【発明が解決しようとする課題】
【０００６】
ところで、本願発明者は上記従来の移動観覧席についてさらに研究を進めたところ、以下の如き改良の余地を見出した。すなわち、上記従来の移動観覧席の手摺の装着構造は、手摺の支柱の下端部を、床台の側端部に固定した筒状の受け部材に差し込んで支持することから、円滑な着脱のためには支柱の下端部と受け部材との間にある程度の遊びを設ける必要があり、それゆえバックルで抜け止めしていても手摺が多少ぐらつくという不都合があった。
【０００７】
そしてこのことは、移動観覧席の収納の際の高さの異なる床台の手摺同士の干渉を避けるために手摺を外向きに傾斜させて装着する場合には、手摺がぐらつくと不安感を与えるため特に問題であった。
【課題を解決するための手段】
【０００８】
この発明は、上記従来の移動観覧席の課題を有利に解決するものであり、この発明の移動観覧席は、複数段の床台と、前記各床台を水平状態で移動可能に支持する脚部と、を具え、前記複数段の床台が、互いに階段状にずれる進出位置と、互いに上下方向に整列する後退位置との間で水平状態のまま移動し得るとともに、その進出位置での前記複数段の床台の床材が階段状の通路を形成する、伸縮式の移動観覧席において、前記床台の側端部に固定される受け部材と、前記受け部材に着脱可能に装着される支柱下端部を有する手摺と、を具え、前記受け部材は、上端から長手方向へ延在する切り欠きを形成され、前記支柱下端部は、前記受け部材を間に挟む外側部材および内側部材と、前記外側部材および前記内側部材を貫通する雄ねじ部材と、前記雄ねじ部材に螺合する雌ねじ部材とを有し、前記外側部材と前記内側部材とのうち一方は前記支柱下端部に固定されるとともに前記受け部材に嵌合することを特徴とするものである。
【発明の効果】
【０００９】
この発明の移動観覧席にあっては、手摺の支柱下端部の外側部材と内側部材とを、床台の側端部に固定される受け部材の外側と内側とに配置して、受け部材を間に挟みながら下ろし、雄ねじ部材を受け部材の上端から長手方向へ延在する切り欠きに入れながら、外側部材と内側部材とのうち支柱下端部に固定された方の部材を受け部材に嵌合させて位置決めし、雄ねじ部材に螺合する雌ねじ部材を雄ねじ部材に対し相対回転させて外側部材と内側部材とを互いの接近方向へ締め付けることで、外側部材と内側部材とで受け部材を挟持し、これによって床台の側端部に手摺を固定する。そして手摺を取り外す際には、上記と逆の手順をとる。
【００１０】
従って、この発明の移動観覧席によれば、床台の側端部に手摺を着脱可能に装着することができ、しかも、外側部材と内側部材とで受け部材を位置決めしつつ挟持するので、手摺のぐらつきを防止することができる。
【００１１】
なお、この発明の移動観覧席においては、前記支柱下端部は、前記雄ねじ部材と前記雌ねじ部材とを相対回転させるハンドルを有していても良い。
【００１２】
このようにすれば、手摺の着脱の際にドライバー等の工具を用いなくても、雄ねじ部材と雌ねじ部材とを相対回転させて外側部材と内側部材とを相互に接近させたり離間させたりすることができる。
【００１３】
さらにこの発明の移動観覧席においては、前記ハンドルは、前記雄ねじ部材をその軸線周りに回転させるとともに、その雄ねじ部材の軸線と直交する軸線周りの揺動によりカムの作用でその雄ねじ部材を引いて前記雌ねじ部材を引き寄せるものであっても良い。
【００１４】
このようにすれば、ハンドルを回転させてねじの作用で外側部材と内側部材とを相互に接近させた後、ハンドルを揺動させてカムの作用で外側部材と内側部材とを相互に強く押圧して、外側部材と内側部材とで受け部材を位置決めしつつ容易に強固に挟持することができる。
【００１５】
さらにこの発明の移動観覧席においては、前記受け部材は、上方へ向けて外向きに傾斜していても良い。
【００１６】
このようにすれば、手摺のぐらつきを防止しつつ手摺を外向きに傾斜させて装着して、移動観覧席の収納の際の高さの異なる床台の手摺同士の干渉を避けることができる。
【００１７】
そしてこの発明の移動観覧席においては、前記床台の側端部に固定される第２の受け部材と、前記受け部材に着脱可能に装着される第２の支柱下端部を有する手摺と、を具え、前記第２の受け部材は、上端から下方へ向かって斜め外向きに延在した後に斜め内向きに延在する切り欠きと、下方へ行くにつれて開口幅が内向きに狭まり、下端部で前記切欠きと平行に斜め内向きに延在する筒状部分とを有し、前記第２の支柱下端部は、前記受け部材の前記筒状部分に上方から挿入されてその斜め内向きに延在する部分と密に嵌合する先端部と、前記切り欠きに沿って移動可能に前記受け部材に掛合する位置決め部材とを有するものであっても良い。
【００１８】
このようにすれば、第２の受け部材に手摺の第２の支柱下端部を垂直に抜き差しできることから、作業者が床台の側端部から身を乗り出して手摺を持たなくてもその第２の支柱下端部を第２の受け部材に対して着脱できるので、手摺を持つ作業者の体勢が不安定になって落下の危険を感じることがなく安全に着脱することができる。
【００１９】
しかも、手摺を傾けた状態で第２の支柱下端部を第２の受け部材から引き抜こうとすると、第２の支柱下端部の位置決め部材が第２の受け部材の切り欠きの斜め内向きに延在する部分の上端部で一旦第２の受け部材に当接して掛止され、その後に手摺を引き寄せて第２の支柱下端部を垂直にすると第２の受け部材から上向きに引き抜くことができるので、手摺を引き抜く際に支柱を確実に垂直にさせて、作業者の安全を確保することができる。
【図面の簡単な説明】
【００２０】
【図１】この発明の移動観覧席の一実施例をその複数段の床台が互いに階段状にずれた進出位置にある状態で示す正面図である。
【図２】上記実施例の移動観覧席をその複数段の床台が互いに階段状にずれた進出位置にある状態で示す平面図である。
【図３】上記実施例の移動観覧席をその複数段の床台が互いに階段状にずれた進出位置にある状態で示す側面図である。
【図４】上記実施例の移動観覧席をその複数段の床台が互いに階段状にずれた進出位置にある状態で、椅子を省略して示す背面図である。
【図５】上記実施例の移動観覧席をその複数段の床台が互いに階段状にずれた進出位置にある状態で示す底面図である。
【図６】上記実施例の移動観覧席をその複数段の床台が互いに上下方向に整列した後退位置にある状態で示す側面図である。
【図７】（ａ），（ｂ）および（ｃ）は、上記実施例の移動観覧席の中間の二段の床台に装着された手摺を受け部材とともに示す側面図、正面図および背面図である。
【図８】（ａ），（ｂ）および（ｃ）は、上記実施例の移動観覧席の手摺を示す側面図、正面図および背面図である。
【図９】（ａ），（ｂ）および（ｃ）は、上記実施例の移動観覧席における手摺の前側の支柱の装着手順を示す説明図である。
【図１０】（ａ），（ｂ）および（ｃ）は、上記実施例の移動観覧席における手摺の後側の支柱の装着手順を示す説明図である。
【図１１】（ａ），（ｂ）および（ｃ）は、上記実施例の移動観覧席における手摺の後側の支柱の取り外し手順を示す説明図である。
【図１２】従来の移動観覧席の中間の二段の構成を示す斜視図である。
【発明を実施するための形態】
【００２１】
以下、この発明の実施の形態を図面に基づく実施例によって詳細に説明する。ここに、図１は、この発明の移動観覧席の一実施例をその複数段の床台が互いに階段状にずれた進出位置にある状態で示す正面図、図２は、上記実施例の移動観覧席をその複数段の床台が互いに階段状にずれた進出位置にある状態で示す平面図、図３は、上記実施例の移動観覧席をその複数段の床台が互いに階段状にずれた進出位置にある状態で示す側面図である。
【００２２】
また、図４は、上記実施例の移動観覧席をその複数段の床台が互いに階段状にずれた進出位置にある状態で、椅子を省略して示す背面図、図５は、上記実施例の移動観覧席をその複数段の床台が互いに階段状にずれた進出位置にある状態で示す底面図、そして図６は、上記実施例の移動観覧席をその複数段の床台が互いに上下方向に整列した後退位置にある状態で示す側面図である。
【００２３】
この実施例の移動観覧席も、図１２に示す従来の移動観覧席と同様、複数段（図示例では５段）の床台１と、各床台１を水平状態で移動可能に支持する脚部２と、互いに連結材で連結された複数の座起立型椅子１２を有して各床台１上に起倒可能に装着された連結椅子３とを具えており、各床台１は、連結椅子３の左右方向に水平に延在する貫材４と、その貫材４の長手方向に間隔が空いた複数の部位に後端部をそれぞれ結合されてその貫材４から連結椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、下から４段目と５段目の段では支柱７の後面側に貫材４の補強のための傾斜ブレース１０を有している。
【００２４】
そしてこの実施例の移動観覧席においても、図４に示すように、上記複数本の支柱７の長さが床台１毎に床台１間の段差分ずつ異なって、床台１が低くなるにつれて支柱７の長さが短くなるとともに、複数本の支柱７の上端部が結合される貫材４の部位の間隔が床台１毎に少しずつ異なって、床台１が低くなるにつれて支柱７の間隔が短くなることで、複数段の床台１が、図１に示す、互いに階段状にずれる進出位置と、図６に示す、互いに上下方向に整列する後退位置との間で水平状態のまま移動できる。
【００２５】
そして、下から３段目の床台１の脚材８の両外側には、床面Ｆ上に固設された４本のガイドレール１１とそれぞれ当接する小さなガイドローラーが設けられていて、それらのガイドローラーとガイドレール１１との当接による案内により、各床台１は所定方向へ進退移動することができ、図６に示すように後退位置に移動させる際は、各連結椅子３を前方に倒して床材６間に収納する。なお、この実施例の移動観覧席では、最上段の床台１は、連結椅子３を設けらずに下から４段目の床台１と一体とされて、支柱７の下のガイドレール１１を介して床面Ｆ上に固定されている。
【００２６】
しかしてこの実施例の移動観覧席では、図１〜図６に示すように、各床台１の両側端部に手摺２２が設けられており、これらの手摺２２は各々、床台１の側端部に着脱可能に装着されている。
【００２７】
図７（ａ），（ｂ）および（ｃ）は、上記実施例の移動観覧席の中間の二段の床台に装着された手摺を受け部材とともに示す側面図、正面図および背面図、また図８（ａ），（ｂ）および（ｃ）は、上記実施例の移動観覧席の手摺を示す側面図、正面図および背面図である。
【００２８】
各手摺２２は、図７に示すように、全体として門型のフレーム状をなしていて、連結椅子３の前後方向を基準として前側の支柱２３および後側の支柱２４とを具え、それらの支柱２３，２４の間には目隠し用のパネル２６が張り渡されており、前側の支柱２３の下端部は、床台１の側端部の腕材５および床材６に固定された前側の受け部材２１に着脱可能に装着され、また後側の支柱２４は、床台１の側端部の貫材４、腕材５および床材６に固定された後側の受け部材２５（第２の受け部材）に着脱可能に装着されている。
【００２９】
前側の受け部材２１は、底部が外側へ向いた略断面コ字状の溝型をなしていて、床台１から外側斜め上方へ傾斜して延在しており、その溝型における底部には、上端からＵ字状の切り欠き２１ａが形成されている。また、後側の受け部材２５は、上部と下部では底部が外側へ向いた略断面コ字状の溝型をなす一方、中間部では角筒状をなしていて、床台１から外側斜め上方へ傾斜して延在しており、その上部の両側部に、図１０に示すように、その溝型における底部へ向けて上端から斜め外向きに延在した後その底部に沿って斜め内向きに延在する切り欠き２５ａが形成され、またその中間部の角筒状部分は、下方へゆくにつれて床台１の溝深さ方向（図７（ｃ）および図１０では左右方向）の開口幅が内向きに狭まり、下端部では切り欠き２５ａの斜め内向きに延在する部分と略平行に延在している。
【００３０】
手摺２２の前側の支柱２３の下端部には、図８に示すように外側部材としての、底部が外側へ向いた略断面コ字状の嵌合部材２３ａが固着され、その嵌合部材２３ａの内側には、内側部材としての舌片状の押付けプレート２３ｂが配置されており、それら嵌合部材２３ａおよび押付けプレート２３ｂには雄ねじ部材としてのねじ軸２３ｃが遊貫され、そのねじ軸２３ｃの先端部は、嵌合部材２３ａの外面に固着された雌ねじ部材としてのナット２３ｄに螺合している。また、そのねじ軸２３ｃの基端部は、リング部材を遊貫して、そのねじ軸２３ｃの軸線と直交するハンドル支持軸を介してハンドル２３ｅの基部に連結されており、そのハンドル２３ｅの基部の外周面は、上記リング部材の端面に摺接するカム面とされている。
【００３１】
この手摺２２の前側の支柱２３の下端部を前側の受け部材２１に装着する際には、先ずハンドル２３ｅをねじ軸２３ｃの軸線周りにハンドル側から見て反時計方向へ回転させてねじ軸２３ｃをナット２３ｄ内で後退させ、嵌合部材２３ａと押付けプレート２３ｂとの隙間を大きくしておいて、図９（ａ）に示すように、前側の受け部材２１に前側の支柱２３の下端部を差し込み、前側の受け部材２１のＵ字状の切り欠き２１ａ内にねじ軸２３ｃを入れながら、嵌合部材２３ａと押付けプレート２３ｂとの隙間に前側の受け部材２１を差し込んで、溝状の嵌合部材２３ａの内側にこれも溝状の前側の受け部材２１を嵌合させるとともに、その前側の受け部材２１の内側に、舌片状の押付けプレート２３ｂを配置する。
【００３２】
次いで、図９（ｂ）に示すように、ハンドル２３ｅを引いた状態でねじ軸２３ｃの軸線周りに時計方向へ回転させてねじ軸２３ｃをナット２３ｄ内で前進させ、嵌合部材２３ａと押付けプレート２３ｂとの隙間をある程度狭めてから、ハンドル２３ｅを押して上記ハンドル支持軸周りに揺動させると、ハンドル２３ｅの基部のカム面の、リング部材と摺接している部分の、ハンドル支持軸からの距離が増大し、そのカム面がリング部材を強力に押しながらねじ軸２３ｃを引いてナット２３ｄを引き寄せて、押付けプレート２３ｂを嵌合部材２３ａに強力に接近させ、これにより図９（ｃ）に示すように、嵌合部材２３ａと前側の受け部材２１との嵌合による嵌合部材２３ａの位置決めを強めるとともに、嵌合部材２３ａと押付けプレート２３ｂとの間に前側の受け部材２１を強固に挟持させて、手摺２２のがたつきを防止する。
【００３３】
この手摺２２の前側の支柱２３の下端部を前側の受け部材２１から取り外す際には、上記と逆の手順を行えば良い。なお、ナット２３ｄにセルフロック型のものを用いて、ナット２３ｄを嵌合部材２３ａの外面に固着させずに工具でねじ軸２３ｃに装着し、ハンドル２３ｅの揺動だけで嵌合部材２３ａと押付けプレート２３ｂとの間に前側の受け部材２１を強固に挟持させられる位置までねじ軸２３ｃをナット２３ｄにねじ込んでおいても良い。
【００３４】
手摺２２の後側の支柱２４の下端部（第２の支柱下端部）には、図８に示すように、その下端部の先端部の外側と内側とに、先端部が楔状に薄くなった低摩擦の樹脂からなる摺動プレート２４ａが取り付けられ、またその下端部の基部に前後方向へ延在するように位置決めピン２４ｂが貫通している。
【００３５】
この手摺２２の後側の支柱２４の下端部を後側の受け部材２５に装着する際には、先ず図１０（ａ）に示すように、後側の受け部材２５に後側の支柱２４の下端部を垂直に差し込み、次いで図１０（ｂ）に示すように、支柱２４を外側に倒して、後側の受け部材２５の上部の切り欠き２５ａの斜めの部分内で位置決めピン２４ｂをその後側の受け部材２５の上部に掛合させつつ移動させながら、支柱２４の下端部の先端部を、後側の受け部材２５の中間部の角筒状部分に落とし込み、最後に図１０（ｃ）に示すように、後側の受け部材２５の上部の切り欠き２５ａの、底部に沿って斜め内向きに延在する部分の下端部で位置決めピン２４ｂを位置決め支持するとともに、支柱２４の下端部の先端部を、後側の受け部材２５の中間部の角筒状部分の斜め内向きに延在する部分に密に嵌合させる。なお、その際、手摺２２の前側の支柱２３の下端部も、前側の受け部材２１に差し込んで装着する。
【００３６】
この手摺２２の後側の支柱２４の下端部を後側の受け部材２５から取り外す際には、上記と逆の手順を行えば良く、具体的には、先ず図１１（ａ）に示すように、手摺２２の後側の支柱２４を後側の受け部材２５の傾斜に沿わせて若干引き上げる。このとき、後側の支柱２４が一気に抜けないように、図１１（ｂ）に示すように、位置決めピン２４ｂが、後側の受け部材２５の上部の、切り欠き２５ａの斜めの部分の上側のストッパー部に当接して掛止される。次いで図１１（ｃ）に示すように、手摺２２を引き起こして、位置決めピン２４ｂを、後側の受け部材２５の切り欠き２５ａの斜めの部分の入口へ移動させ、その後に手摺２２の後側の支柱２４を垂直に持ち上げて後側の受け部材２５から取り外す。これにより、手摺２２を引き抜く際に支柱２４を確実に垂直にさせて、作業者の安全を確保することができる。なお、その際、手摺２２の前側の支柱２３の下端部は、既に前側の受け部材２１から取り外されている。
【００３７】
従って、この実施例の移動観覧席によれば、床台１の側端部に手摺２２を着脱可能に装着することができ、しかも、嵌合部材２３ａと押付けプレート２３ｂとで前側の受け部材２１を位置決めしつつ挟持するので、手摺２２のぐらつきを防止することができる。
【００３８】
さらにこの実施例の移動観覧席によれば、支柱２３の下端部は、ねじ軸２３ｃとナット２３ｄとを相対回転させるハンドル２３ｅを有しているので、手摺２３の着脱の際にドライバー等の工具を用いなくても、ねじ軸２３ｃとナット２３ｄとを相対回転させて嵌合部材２３ａと押付けプレート２３ｂとを相互に接近させたり離間させたりすることができる。
【００３９】
さらにこの実施例の移動観覧席によれば、ハンドル２３ｅは、ねじ軸２３ｃをその軸線周りに回転させるとともに、そのねじ軸２３ｃの軸線と直交する軸線周りの揺動によりカムの作用でそのねじ軸２３ｃを引いてナット２３ｄを引き寄せるものであるので、ハンドル２３ｅを回転させてねじの作用で嵌合部材２３ａと押付けプレート２３ｂとを相互に接近させた後、ハンドル２３ｅを揺動させてカムの作用で嵌合部材２３ａと押付けプレート２３ｂとを相互に強く押圧して、嵌合部材２３ａと押付けプレート２３ｂとで前側の受け部材２１を位置決めしつつ容易に強固に挟持することができる。
【００４０】
さらにこの実施例の移動観覧席によれば、前側の受け部材２１および後側の受け部材２５は外向きに傾斜しているので、上記装着構造で手摺２２のぐらつきを防止しつつ手摺２２を外向きに傾斜させて装着して、図４に示すように、移動観覧席の収納の際の高さの異なる床台１の手摺２２同士の干渉を避けることができる。
【００４１】
そしてこの実施例の移動観覧席によれば、床台１の側端部に手摺２２を外向きに傾斜させて着脱可能に装着することができ、しかも、受け部材２５に手摺２２の後側の支柱２４の下端部を垂直に抜き差しできることから、作業者が床台１の側端部から身を乗り出して手摺２２を持たなくてもその後側の支柱２４の下端部を受け部材２５に対して着脱できるので、手摺２２を持つ作業者の体勢が不安定になって落下の危険を感じることがなく安全に着脱することができる。
【００４２】
しかもこの実施例の移動観覧席によれば、手摺２２を傾けた状態で後側の支柱２４の下端部を後側の受け部材２５から引き抜こうとすると、後側の支柱２４の下端部の位置決めピン２４ｂが後側の受け部材２５の切り欠き２５ａの斜め内向きに延在する部分の上端部を形成するストッパー部で一旦後側の受け部材２５に当接して掛止され、その後に手摺２２を引き寄せて後側の支柱２４の下端部を垂直にすると、後側の受け部材２５から上向きに引き抜くことができるので、手摺２２を引き抜く際に後側の支柱２４を確実に垂直にさせて、作業者の安全を確保することができる。
【００４３】
以上、図示例に基づき説明したが、この発明は上述の例に限定されるものでなく、特許請求の範囲の記載範囲内で適宜変更し得るものであり、例えば、上記実施例では移動観覧席は床台１が５段で、最上段の床台１には連結椅子３が設けられていないが、床台１の段数がこれと異なっていても良く、また最上段まで連結椅子３が設けられていても良い。さらにこの発明における移動観覧席は、床台上に起倒可能に椅子を設置したものでなく、床台上に座部だけを取り付けたベンチ型の移動観覧席や、床台上にスタッキングチェア等の可搬型の椅子を並べられかつ床台上を他の目的でも用い得るように床台上に椅子が設置されていない移動観覧席であっても良い。
【００４４】
そして、上記実施例では手摺２２の支柱２３，２４を外側へ傾けて設けたが、この発明は手摺２２の支柱２３，２４を垂直に設ける場合にも適用することができる。また上記実施例では前側の支柱２３の下端部のみ、嵌合部材２３ａと押付けプレート２３ｂとで受け部材２１を位置決めしつつ挟持するようにしたが、後側の支柱２４についても同様にして嵌合部材と押付けプレートとで受け部材を位置決めしつつ挟持するようにしても良く、さらに上記実施例では外側部材を受け部材と嵌合する嵌合部材としたが、内側部材を受け部材と嵌合する嵌合部材としても良く、あるいは外側部材と内側部材とを何れも受け部材と嵌合する嵌合部材として、それらのうちの一方を支柱に固定するようにしても良い。
【産業上の利用可能性】
【００４５】
かくしてこの発明の移動観覧席によれば、床台の側端部に手摺を着脱可能に装着することができ、しかも、外側部材と内側部材とで受け部材を位置決めしつつ挟持するので、手摺のぐらつきを防止することができる。
【符号の説明】
【００４６】
１  床台
２  脚部
３  連結椅子
４  貫材
５  腕材
６  床材
７  支柱
８  脚材
９  移動用ローラー
１０  傾斜ブレース
１１  ガイドレール
１２  座起立型椅子
２１  前側の受け部材
２１ａ  切り欠き
２２  手摺
２３  前側の支柱
２３ａ  嵌合部材
２３ｂ  押付けプレート
２３ｃ  ねじ軸
２３ｄ  ナット
２３ｅ  ハンドル
２４  後側の支柱
２４ａ  摺動プレート
２４ｂ  位置決めピン
２５  後側の受け部材
２５ａ  切り欠き
２６  パネル
F  床面
【図１】
0005358796.tif 000002
【図２】
0005358796.tif 000003
【図３】
0005358796.tif 000004
【図４】
0005358796.tif 000005
【図５】
0005358796.tif 000006
【図６】
0005358796.tif 000007
【図７】
0005358796.tif 000008
【図８】
0005358796.tif 000009
【図９】
0005358796.tif 000010
【図１０】
0005358796.tif 000011
【図１１】
0005358796.tif 000012
【図１２】
0005358796.tif 000013